(57)【要約】【課題】本発明の解決しようとする課題は、従来の問題点をことごとく解消し、充分な突き刺し耐性を有するためオーバーキャップを用いる必要がなく、アルミニウムの使用を回避することができ、ストローの突き刺し操作性も良好であり、さらに衛生性の点においても問題のない飲料容器用蓋材を安価に提供することを課題とするものである。【解決手段】液体を収納する容器の開口部を封止するための蓋材であって、下フィルムと上フィルムとがイージーピールシーラント層を介して剥離可能に貼合されてなり、下フィルムは基材層とシーラント層を有し、下フィルムには吸引具を挿入するための孔を形成する挿入孔切目線と、開封用タブを下フィルムから切り離すための開封用切目線が設けられていることを特徴とする蓋材である。【選択図】図１
2014073862.tif 000002
【特許請求の範囲】
【請求項１】
液体を収納する容器の開口部を封止するための蓋材であって、下フィルムと上フィルムとがイージーピールシーラント層を介して剥離可能に貼合されてなり、下フィルムは基材層とシーラント層を有し、下フィルムには吸引具を挿入するための孔を形成する挿入孔切目線と、開封用タブを下フィルムから切り離すための開封用切目線が設けられていることを特徴とする蓋材。
【請求項２】
前記イージーピールシーラント層は、前記挿入孔切目線を少なくとも覆うように部分的に設けられていることを特徴とする請求項１に記載の蓋材。
【請求項３】
前記挿入孔切目線は、前記開封用タブに面する方向が途切れた形状であることを特徴とする請求項１または２に記載の蓋材。
【発明の詳細な説明】
【技術分野】
【０００１】
本発明は、容器の開口部を封止する蓋材に関し、特に飲料を収納した容器からストローで直接飲用する用途に適した蓋材に関する。
【背景技術】
【０００２】
飲料を収納した容器からストローで直接飲用する用途に用いられる液体用容器としては、様々な材質や形態の容器が用いられている。ストローを挿入する形態としては、例えば、容器や蓋材に予めストローが差し込める孔を開けておき、そこを剥離可能なシール片で覆う方法がある（特許文献１）。
【０００３】
この方法は、ストロー差込部位が保護シールで覆われているので、衛生性の点で優れており、使用者の心理的な面においても、安心感がある。しかしこの方法は、別途シールを準備したり、貼り付けたりする必要があり、コスト面で問題があるばかりでなく、ストロー孔の部分のバリア性を確保するのが難しいという問題がある。
【０００４】
次に、蓋材に先端が尖ったストローを直接突き刺して開封する方法がある。この場合、蓋材としては、アルミニウム箔のような突き刺し性の良い材質が一般的に用いられる。この方法は、バリア性の観点からは優れた方法であり、蓋材のどこにでもストローを差し込めるという利点もある。
【０００５】
しかし、近年、環境問題からアルミニウムが敬遠される傾向がある他、尖ったストローの先端が危険であり、また蓋材の突き刺し性を高めようとすると、蓋材の強度（突き刺し耐性）が不十分となり、オーバーキャップが必要となったりするという問題がある。また衛生性の観点からも、蓋材表面を清潔に保つためにオーバーキャップが望まれるが、オーバーキャップはコストアップの大きな要因となる。
【０００６】
さらに他の方法として、上記２つの方法の折衷案ともいうべき方法が知られている。それは、バリア性の蓋材の、ストローを刺す場所にハーフカット線等の脆弱加工を施しておき、この部分をバリア性のフィルム片で覆うというものである。この方法が、特許文献２の実施例に記載されている。
【０００７】
この方法によれば、アルミニウムの使用を回避でき、バリア性の点においても問題がなく、さらにストローの突き刺し性においても満足のできるものであるが、保護シールを用いるという点において、第１番目の方法と同様の問題が残る。
【先行技術文献】
【特許文献】
【０００８】
【特許文献１】特開２０１０−１８４７３１号公報
【特許文献２】特開昭６３−３１３５７０号公報
【発明の概要】
【発明が解決しようとする課題】
【０００９】
本発明の解決しようとする課題は、従来の上記の問題点をことごとく解消するものであり、充分な突き刺し耐性を有するためオーバーキャップを用いる必要がなく、アルミニウムの使用を回避することができ、ストローの突き刺し操作性も良好であり、さらに衛生性の点においても問題のない飲料容器用蓋材を安価に提供することを課題とするものである。
【課題を解決するための手段】
【００１０】
上記の課題を解決するための手段として、請求項１に記載の発明は、液体を収納する容器の開口部を封止するための蓋材であって、下フィルムと上フィルムとがイージーピールシーラント層を介して剥離可能に貼合されてなり、下フィルムは基材層とシーラント層を有し、下フィルムには吸引具を挿入するための孔を形成する挿入孔切目線と、開封用タブを下フィルムから切り離すための開封用切目線が設けられていることを特徴とする蓋材である。
【００１１】
本発明に係る蓋材は、下フィルムと上フィルムを剥離可能に貼り合わせ、下フィルムに吸引具を挿入するための孔を形成する挿入孔切目線を設けたので、上フィルムを剥離した後、この挿入孔切目線部分にストローなどの吸引具を極めて容易に挿入することができる。また挿入孔切目線は、上フィルムによって保護されているので、バリア性や、耐突き刺し性の点でも問題がない。
【００１２】
また、請求項２に記載の発明は、前記イージーピールシーラント層が、前記挿入孔切目線を少なくとも覆うように部分的に設けられていることを特徴とする請求項１に記載の蓋材である。
【００１３】
また、請求項３に記載の発明は、前記挿入孔切目線が、前記開封用タブに面する方向が途切れた形状であることを特徴とする請求項１または２に記載の蓋材である。
【発明の効果】
【００１４】
本発明に係る蓋材は、下フィルムと上フィルムとがイージーピールシーラント層を介して剥離可能に貼合されてなるので、充分な突き刺し強度を確保することができる一方、上フィルムを剥離することにより、下フィルムに設けられた挿入孔切目線が露出するので、この部分にストローなどの吸引具を極めて容易に挿入することができる。挿入孔は上フィルムによって保護されているので、衛生上の問題もなく、バリア性の点でも問題が生じない。
【００１５】
本発明に係る蓋材は、上下２層構造であるが、ストロー孔部分を別途シール片などでシールする手間が掛からず、工程が簡単に済むためコスト的に有利である。
【００１６】
請求項２に記載の発明において、イージーピールシーラント層を、挿入孔切目線を少なくとも覆うように部分的に設けた場合には、上フィルムの剥離が容易になり、開封の手間が掛からないものとすることができる。
【００１７】
また請求項３に記載の発明において、挿入孔切目線を、開封用タブに面する方向が途切れた形状とした場合には、挿入孔の部分が剥落して、容器内部に落下することがない。また上フィルムを剥離する時に、千切れたりせず、きれいに剥離できるという効果を有する。
【図面の簡単な説明】
【００１８】
【図１】図１は、本発明に係る蓋材の一実施態様を示した平面模式図である。
【図２】図２は、図１のＸ−Ｘ‘断面を示した断面模式図である。
【図３】図３は、本発明に係る蓋材の他の実施態様を示した平面模式図である。
【図４】図４は、図３のＹ−Ｙ‘断面を示した断面模式図である。
【発明を実施するための形態】
【００１９】
以下図面に基づいて、本発明に係る蓋材について詳細に説明する。
図１は、本発明に係る蓋材の一実施態様を示した平面模式図であり、図２は、図１のＸ−Ｘ‘断面を示した断面模式図である。
【００２０】
本発明に係る蓋材（１）は、液体を収納する容器本体（１０）の開口部を封止するための蓋材であって、下フィルム（４）と上フィルム（２）とがイージーピールシーラント層（３）を介して剥離可能に貼合されてなる。
【００２１】
下フィルム（４）は基材層（５）とシーラント層（６）を有し、下フィルム（４）にはストローなどの吸引具を挿入するための孔を形成する挿入孔切目線（９）と、開封用切目線（８）とが設けられている。
【００２２】
開封用タブ（７）の付け根に設けられた開封用切目線（８）は、開封用タブ（７）を持って上方向に剥離する際に、開封用タブ（７）を下フィルムから切り離し、上フィルム（２）のみが剥離するようにするために設けられたものである。
【００２３】
蓋材（１）は、下フィルム（４）のシーラント層（６）によって容器本体（１０）のフランジ部（１１）に熱シールされ、容器シール部（１２）を形成している。
【００２４】
図１、２に示した実施態様においては、下フィルム（４）と上フィルム（２）とを剥離可能に貼合しているイージーピールシーラント層（３）は、蓋材（１）の中央部に設けた挿入孔切目線（９）を覆う部分と、開封用タブ（７）の部分、および容器シール部（１２）に相当する部分に設けられている。
【００２５】
このように、イージーピールシーラント層（３）を部分的に設けることにより、上フィルム（２）を剥離する際の剥離抵抗を最小限に留めることができる。
【００２６】
またこの例では、挿入孔切目線（９）の形状が、開封用タブ（７）に面する方向が途切れた逆Ｃ字形状となっている。このように一部が途切れた形状とすることにより、挿入孔切目線（９）の内部が切れて内容液中に落下するような事故を未然に防止することができる。
【００２７】
また、途切れ部分の位置を、開封用タブ（７）に面する方向とすることにより、上フィルム（２）を剥離する際に、挿入孔切目線（９）の内部が上フィルムに付着して千切れるようなことがなく、スムーズに剥離する。
【００２８】
挿入孔切目線（９）の形状は、図１のように逆Ｃ字型に限るものではなく、特に図示しないが、Ｕ字型やコの字型などでもよい。また、イージーピールシーラント層（３）の接着強度が充分であり、挿入孔切目線（９）の内部が上フィルム（２）から落下する恐れがない場合には、途切れのない繋がった形状例えば円形などでもよい。
【００２９】
この場合には、上フィルム（２）を剥離すると同時に吸引具を挿入するための孔が形成される。
【００３０】
開封用切目線（８）や挿入孔切目線（９）を形成する方法としては、レーザーを用いる方法や、切り刃を用いる方法など公知の方法が使用できる。
【００３１】
図３は、本発明に係る蓋材（１）の他の実施態様を示した平面模式図である。また図４は、図３のＹ−Ｙ‘断面を示した断面模式図である。なお図４では、容器本体は省略されている。
【００３２】
図３、４に示した実施態様においては、イージーピールシーラント層（３）が全面に施されている。また蓋材（１）をすべて剥離するための全開封用タブ（１３）が設けられている。全開封用タブ（１３）は、開封用タブ（７）と異なり、付け根部分に開封用切目線（８）が設けられていないので、蓋材（１）を上下フィルム一体として容器本体（１０）のフランジ部（１１）からすべて剥離除去する場合に使用することができる。
【００３３】
全開封用タブ（１３）は、ストローなどの吸引具を使用せず、内容物を他の容器に移す場合などに使用するものである。
【００３４】
本発明に係る蓋材（１）を用いる容器本体（１０）については、図１、２では、紙カップ型の容器の例を示したが、容器本体（１０）の材質、形状については特に限定されるものではない。しかし本発明に係る蓋材（１）は、バリア性の点で、優れた性能を発揮し得るものなので、容器本体（１０）についても、バリア性に優れた容器とすることで、本発明の蓋材（１）の特徴が十分に活かせるものとなる。
【００３５】
次に本発明に係る蓋材（１）に使用する材料について説明する。
上フィルム（２）としては、各種合成樹脂フィルムが使用できる。具体的な例としては、低密度ポリエチレン（ＬＤＰＥ）樹脂、高密度ポリエチレン（ＨＤＰＥ）樹脂、直鎖状低密度ポリエチレン（ＬＬＤＰＥ）樹脂、ポリプロピレン（ＰＰ）樹脂、ポリオレフィン系エラストマー等のポリオレフィン系樹脂、ポリエチレンテレフタレート（ＰＥＴ）樹脂、ポリブチレンテレフタレート（ＰＢＴ）樹脂、ポリエチレンナフタレート（ＰＥＮ）樹脂等のポリエステル系樹脂、セロハン、三酢酸セルロース（ＴＡＣ）樹脂等のセルロース系樹脂、ポリメチルメタアクリレート（ＰＭＭＡ）樹脂、エチレン−酢酸ビニル系共重合樹脂（ＥＶＡ）、アイオノマー樹脂、ポリブテン系樹脂、ポリアクリロニトリル系樹脂、ポリアミド系樹脂、ポリスチレン（ＰＳ）系樹脂、ポリ塩化ビニル（ＰＶＣ）樹脂、ポリ塩化ビニリデン（ＰＶＤＣ）樹脂、ポリカーボネート（ＰＣ）樹脂、フッ素系樹脂、ウレタン系樹脂等の合成樹脂フィルムを、単体または複合された状態で使用することができる。
【００３６】
上記合成樹脂フィルムの他、紙、アルミニウム箔などを使用することもできる。また、ガスバリア層を設けてもよい。ガスバリア層としては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレート（ＰＥＴ）フィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層、あるいはアルミニウム箔等の金属箔などを用いることができる。
【００３７】
上フィルム（２）の表面に、印刷を施すこともできる。最表面が透明のフィルムである場合には、透明フィルムの裏面側に印刷を施しても良いし、２層目の表面に印刷を施しても良い。
【００３８】
イージーピールシーラント層（３）としては、市販のイージーピール性樹脂、イージーピールフィルム、イージーピールニス等が使用できる。図１、２の例のように、部分的に設ける場合は、イージーピールニスを用いて印刷法によって形成する。
【００３９】
イージーピール層（３）の剥離の形態としては、凝集剥離タイプ、層間剥離タイプ、界面剥離タイプのいずれの形態でもよい。界面剥離タイプの場合、剥離した時に、イージーピール層（３）が上フィルムに付着するか、下フィルムに付着するかは、任意に設計できる。
【００４０】
下フィルム（４）の基材層（５）としては、上記上フィルム（２）の材料として挙げた各材料が使用できる。また上フィルム、イージーピールシーラント層がいずれも透明である場合には、下フィルムの基材層（５）の表面に印刷を施して、表面から透視可能とすることもできる。もちろん、上フィルムとは、別に印刷を施すことも可能である。
【００４１】
シーラント層（６）としては、被着体である容器本体（１０）のフランジ部（１１）の表面材質に応じて、それに適する材質のシーラント層を選択する。一般的には、シーラント層の材質としては、ポリオレフィン系樹脂が一般的に使用され、具体的には、低密度ポリエチレン樹脂 、中密度ポリエチレン樹脂、直鎖状低密度ポリエチレン樹脂、エチレン−酢酸ビニル共重合体、エチレン−αオレフィン共重合体、エチレン−メタアクリル酸樹脂共重合体などのエチレン系樹脂や、ポリエチレンとポリブテンのブレンド樹脂や、ホモポリプロピレン樹脂、プロピレン−エチレンランダム共重合体、プロピレン−エチレンブロック共重合体、プロピレン−αオレフィン共重合体などのポリプロピレン系樹脂等が使用される。
【００４２】
以上各材料の組み合わせの具体例を以下に示す。なお／は、接着剤による積層を示す。＜組合せ例１＞
上フィルム：ＰＥＴ（１２μｍ）／金属酸化物蒸着ＰＥＴ（１２μｍ）（ガスバリア性フィルム：凸版印刷社製ＧＬフィルム）／イージーピールシーラントフィルム（共押出フィルム３０μｍ：東セロ社製ＡＢＦ−６４Ｃ）
下フィルム：ＰＥＴ（１２μｍ）／ＧＬフィルム（１２μｍ）／ＬＤＰＥ（６０μｍ）
【００４３】
＜組合せ例２＞
上フィルム：ＰＥＴ（１２μｍ）／イージーピール層
下フィルム：ＰＥＴ（１２μｍ）／ＬＤＰＥ（６０μｍ）
【００４４】
＜組合せ例３＞
上フィルム：ＯＰＰ／ＰＰ用イージーピール層
下フィルム：ＰＰ／ＬＤＰＥ（６０μｍ）
【００４５】
本発明に係る蓋材は、飲料を収納する容器の蓋材として好適に用いられるものであるが、それ以外にも、例えば各種の液体を収納し、吸引具としてポンプなどを使用して内容物を取り出すような用途にも広く用いることができるものである。
【符号の説明】
【００４６】
１・・・蓋材
２・・・上フィルム
３・・・イージーピールシーラント層
４・・・下フィルム
５・・・基材層
６・・・シーラント層
７・・・開封用タブ
８・・・開封用切目線
９・・・挿入孔切目線
１０・・・容器本体
１１・・・フランジ部
１２・・・容器シール部
１３・・・全開封用タブ
【図１】
2014073862.tif 000003
【図２】
2014073862.tif 000004
【図３】
2014073862.tif 000005
【図４】
2014073862.tif 000006